(57)【特許請求の範囲】
【請求項１】
水に難溶性ないしは不溶性の有機化合物０．５〜５０．０重量％、水１０〜５０重量％、水に難溶性ないしは不溶性の有機化合物および水のいずれとも相溶する両媒性溶剤０．５〜５０重量％ならびにジメチルエーテル５．０〜５０．０重量％を含有することを特徴とするエアゾール型ガラス洗浄剤であって、水に難溶性ないしは不溶性の有機化合物が水に対する溶解度が０〜２００ｇ／ｌ（２５℃）である炭素数８〜４５のテルペン類であり、両媒性溶剤がプロピレングリコールエチルエーテル、ジエチレングリコールエチルエーテル、エチレングリコールメチルエーテル、３−メチル−３−メトキシブチルアセテート、プロピレングリコールエチルエーテルアセテート、ポリプロピレングリコールブチルエーテル、またはエチルアルコールであって、かつ界面活性剤を含まないエアゾール型ガラス洗浄剤。
【請求項２】
テルペン類がｄ−リモネンを含有する請求項１記載の洗浄剤。 
【請求項３】
メガネクリーナーとして使用される請求項１または２記載の洗浄剤。
【発明の詳細な説明】
【０００１】
【発明の属する技術分野】
本発明は住宅用ガラス、車両用ガラス、鏡、眼鏡レンズ、その他合成樹脂素材からのガラスなどの洗浄に用いるエアゾール型ガラス洗浄剤に関する。
【０００２】
【従来の技術および発明が解決しようとする課題】
数多くのガラス洗浄剤が市販されており、また、ガラス洗浄剤に関する特許も出願されている（たとえば特公昭５７−４７９６０号公報、特開昭６０−１３９８００号公報）。
【０００３】
しかし、最近、大気の汚染および使用される化学製品の多様化によりガラスの汚染物質も多様化し、ガラス洗浄剤の機能の向上が求められている。
【０００４】
たとえば、自動車ワックスに配合される高分子樹脂や高分子量シリコーンなどが窓ガラスに付着したばあいには、従来のガラスクリーナーでは洗浄力が不足し、所望の効果がえられない。
【０００５】
前記問題を解決するために、これらの汚染物質を除去するために用いられる界面活性剤およびアルカリ剤を大量に配合したばあいには、附随する臭気や刺激によって、使用者に不快感を与える。
【０００６】
また、界面活性剤をはじめ、不揮発性の配合剤がガラス面に残留し、光の乱反射およびガラスの透明性を阻害することがある。
【０００７】
【課題を解決するための手段】
本発明者らは、ガラスに付着した高分子樹脂や高分子量シリコーンなどの汚染物質を安全かつ容易に除去することができ、残留物による乱反射が少なく、透明性の高い洗浄物がえられるエアゾール型ガラス洗浄剤を提供するために鋭意研究を重ねた結果、本発明を完成するに至った。
【０００８】
すなわち、本発明は、
水に難溶性ないしは不溶性の有機化合物０．５〜５０．０重量％（重量％、以下同様）、
水１０〜５０重量％、水に難溶性ないしは不溶性の有機化合物および水のいずれとも相溶する両媒性溶剤０．５〜５０重量％ならびにジメチルエーテル５．０〜５０．０重量％を含有することを特徴とするエアゾール型ガラス洗浄剤であって、水に難溶性ないしは不溶性の有機化合物が水に対する溶解度が０〜２００ｇ／ｌ（２５℃）である炭素数８〜４５のテルペン類であり、両媒性溶剤がプロピレングリコールエチルエーテル、ジエチレングリコールエチルエーテル、エチレングリコールメチルエーテル、３−メチル−３−メトキシブチルアセテート、プロピレングリコールエチルエーテルアセテート、ポリプロピレングリコールブチルエーテル、またはエチルアルコールであって、かつ界面活性剤を含まないエアゾール型ガラス洗浄剤（請求項１）、
テルペン類がｄ−リモネンを含有する請求項１記載の洗浄剤（請求項２）、
メガネクリーナーとして使用される請求項１または２記載の洗浄剤（請求項３）
に関する。
【０００９】
【発明の実施の形態】
本発明のエアゾール型ガラス洗浄剤に含有される水に難溶性ないしは不溶性の有機化合物（以下、有機化合物（Ａ）ともいう）はガラス表面に付着した汚れ成分を溶解させるために使用される成分である。
【００１０】
有機化合物（Ａ）の使用目的が汚れ成分の溶解であるため、その性状としては液状のものが好ましい。また、液状のばあい、拭き取りやすい点からも好ましい。また、透明〜半透明なものが拭き取りの点から好ましい。
【００１１】
有機化合物（Ａ）が水に対して難溶性ないしは不溶性であるとは、２５℃における水に対する溶解度が０〜２００ｇ／ｌ、さらには０〜５０ｇ／ｌであることをいい、有機化合物（Ａ）の水に対する溶解度がこのような値であるため、水に不溶な汚れ成分を効果的に溶解させることができる。
【００１２】
有機化合物（Ａ）の例としては、たとえば炭素数８〜４５の有機化合物があげられる。天然のものであってもよく、合成されたものであってもよく、また、脂肪族系のものであってもよく、芳香族系のものであってもよく、いずれも使用することができる。
【００１３】
有機化合物（Ａ）の具体例としては、ｄ−リモネン（Ｃ１０）、リナロール（Ｃ１０）、ゲラニオール（Ｃ１０）、シトラール（Ｃ１０）、スクワレン（Ｃ３０）、テルピネン（Ｃ１０）、カンファー（Ｃ１０）、ボルネオール（Ｃ１０）などのテルペン類、イソドデカン（Ｃ１２）、テトラデカン（Ｃ１４）、ヘキサデカン（Ｃ１６）、ペンタデカン（Ｃ１５）、石油エーテル、リグロイン（Ｃ１２）などの炭化水素類などがあげられる。また、オレンジオイル（ｄ−リモネンを約９０％含有する天然油）なども使用される。
【００１４】
有機化合物（Ａ）としてオレンジオイルを用いるばあい、芳香性を有するため好ましく、また、日本薬局法成分であるため、安全性の点から好ましい。
【００１５】
前記オレンジオイルとは、シトラス（Citrus）属諸種植物（Rutaceae）の食用に供する種類の果皮を圧搾してえられる黄色〜黄褐色の精油である。特異な芳香があり、味はわずかに苦く、等容量のエタノールに濁って混和し、従来、製剤用賦香料として用いられているものである。
【００１６】
本発明のエアゾール型ガラス洗浄剤に含有される水は燃焼性を低下させるために使用される成分であり、通常の精製水であれば使用しうる。
【００１７】
本発明のエアゾール型ガラス洗浄剤に含有される両媒性溶剤は、有機化合物（Ａ）および水のいずれとも相溶し、エアゾール型ガラス洗浄剤がエアゾール缶に充填されているばあいには有機化合物（Ａ）を分散可溶化させ、洗浄剤がジメチルエーテル（ＤＭＥ）の充填により均一相になるように作用し、ガラスを洗浄するために噴射されたのちは有機化合物（Ａ）とともに汚れ成分を溶解させるように作用する成分である。従来の洗浄剤のばあい、前記両媒性溶剤のかわりに、通常、界面活性剤が用いられてきているが、界面活性剤を使用すると、洗浄後のガラスに界面活性剤などの残留物が残留し、油膜状のものがのこりやすく、光の干渉縞が出やすいが、界面活性剤を使用しない本発明の洗浄剤のばあいには、この問題が軽減される。
【００１８】
前記両媒性溶剤は水と相溶性を有する点で有機化合物（Ａ）と異なる。
【００１９】
前記両媒性溶剤の具体例としては、たとえばアルキル（ポリ）オキシアルキレングリコール系溶剤（アルキル基は炭素数１〜４のアルキル基、アルキレン基は炭素数２〜１２のアルキレン基）やそのアセテート類など、具体的にはプロピレングリコールエチルエーテル、ジエチレングリコールエチルエーテル、エチレングリコールメチルエーテル、３−メチル−３−メトキシブチルアセテート、プロピレングリコールエチルエーテルアセテート、ポリプロピレングリコールブチルエーテルなどがあげられる。また、エチルアルコールも使用しうる。これらは単独で用いてもよく、２種以上組み合わせて用いてもよい。これらのうちではジエチレングリコールエチルエーテルが有機化合物（Ａ）の芳香性を損わない点から好ましい。
【００２０】
本発明の洗浄剤はエアゾール型洗浄剤であるため、プロペラントが含有されている。
【００２１】
前記プロペラントとして従来よりプロパン、ブタン、ジメチルエーテル、これらの混合液化ガスなどが用いられているが、本発明では両媒性であり、かつ、低沸点であるジメチルエーテルを用いるのが好ましい。ジメチルエーテルを用いるばあい、プロペラントとして作用するのみならず、水への溶解性が極めて良好であり、有機化合物（Ａ）の水への分散・溶解をたすける。また、ジメチルエーテルは蒸散性が速く、乾燥性が良好なため、エアゾール型ガラス洗浄剤のプロペラントとしてすぐれる。
【００２２】
本発明のエアゾール型ガラス洗浄剤における各成分の含有割合は、有機化合物（Ａ）０．５〜５０．０％、さらには１〜２０％で、水１０〜５０％、さらには２０〜４０％、両媒性溶剤０．５〜５０％、さらには１０〜４０％、さらに、プロペラント５．０〜５０％、さらには２０〜４５％であるのが好ましい。
【００２３】
有機化合物（Ａ）の含有割合が少なすぎると洗浄性が充分でなくなり、多すぎると拭きしみが残る。また、水の含有割合が少なすぎると燃焼性が高くなり、危険であり、多すぎると乾燥性がわるくなる。さらに、両媒性溶剤の含有割合が少なすぎると有機化合物（Ａ）を必要量配合することができず、充分な洗浄力がえられなくなり、多すぎると燃焼性が高くなり、危険である。そして、プロペラントの含有割合が少なすぎると製品圧力が低くなり、噴射状態がわるく、最後まで噴射できなくなり、多すぎると有機化合物（Ａ）が溶解しきらず、均一相にならない。
【００２４】
本発明の洗浄剤は、とくに自動車ウインド、眼鏡レンズなどの透明性を必要とし、かつ、自動車ウインドのワイパー、シーリング材、眼鏡のフレームなどへの影響の少ないエアゾール型ガラス洗浄剤、たとえばガラスクリーナー、メガネクリーナーなどとして好適に使用される。
【００２５】
前記のごとき本発明のエアゾール型ガラス洗浄剤の好ましい態様としては、有機化合物（Ａ）、好ましくはオレンジオイルを１〜２０％含有し、水を２０〜４０％含有し、両媒性溶剤を１０〜４０％含有し、プロペラント、好ましくはジメチルエーテルを２０〜４５％含有する洗浄剤があげられる。このばあいには、洗浄性にすぐれ、かつ、安全性、芳香性にすぐれたエアゾール型ガラス洗浄剤がえられる。
【００２６】
【実施例】
つぎに、本発明のエアゾール型ガラス洗浄剤を実施例に基づいてさらに詳しく説明するが、本発明はこれらに限定されるものではない。
【００２７】
実施例１
下記組成になるように各成分をエアゾール耐圧缶に充填してエアゾール型ガラス洗浄剤を製造した。
【００２８】
0003784921.tif 000002
【００２９】
一方、高分子量シリコーン（トーレ・シリコーン（株）製、ＳＨ２００、鎖状ジメチルシリコーンオイル）３％を含むヘキサン溶液をガラス板面上に塗布し、乾燥させた。えられた高分子量シリコーン塗布ガラス板を赤外線吸収スペクトル法により測定したところ、波数１２６０ｃｍ-1付近にＳｉ−ＣＨ3（脂肪族）の吸収が認められた。
【００３０】
高分子量シリコーンを塗布したガラス面に、えられたエアゾール型ガラス洗浄剤を２０ｃｍの距離から２秒間噴射したのち乾いたタオルで拭き取った。そののち、赤外線吸収スペクトル法により、波数１２６０ｃｍ-1付近のＳｉ−ＣＨ3（脂肪族）の吸収の大きさを測定した。
【００３１】
結果を表１に示す。
【００３２】
比較例１〜２
高分子量シリコーンを塗布したガラス面を、市販ガラスクリーナー（ポンプ式、界面活性剤を含有する）を用いて実施例１と同様の条件で行なう方法（比較例１）、および市販ガラスクリーナー（エアゾール型、界面活性剤を含有する）を用いて実施例１と同じ条件で行なう方法（比較例２）により洗浄したのち、赤外線吸収スペクトル法により、波数１２６０ｃｍ-1付近のＳｉ−ＣＨ3（脂肪族）の吸収の大きさを測定した。結果を表１に示す。
【００３３】
【表１】
0003784921.tif 000003
【００３４】
実施例２および比較例３〜４
高分子樹脂（互応化学（株）製、プラスサイズ３２ＷＴ（商品名）、平均重合度５００のアクリル酸−メタクリル酸エステル系共重合体）２％のエタノール溶液をガラス板面上に塗布し、乾燥させた。えられた高分子樹脂塗布ガラス板を赤外線吸収スペクトル法により測定したところ、波数１７４０ｃｍ-1付近にエステル（−ＣＯＯ−）の吸収が認められた。
【００３５】
高分子樹脂を塗布したガラス面を、実施例１および比較例１〜２で用いた洗浄剤を用いて実施例１および比較例１〜２と同様にして洗浄したのち、赤外線吸収スペクトル法により波数１７４０ｃｍ-1付近の吸収の大きさを測定した。
【００３６】
結果を表２に示す。
【００３７】
【表２】
0003784921.tif 000004
【００３８】
【発明の効果】
本発明の洗浄剤は、多様なガラス汚染物に対してすぐれた洗浄性がある。とくに、高分子量シリコーン、高分子樹脂、高分子油脂などに対する洗浄性が良好である。
【００３９】
また、本発明は、主に家庭用に用いられる製品であり、臭気が少なく、安全性の高いものである。